(57)【要約】【課題】任意の位置までシャッターカーテンを閉めて開かないようにロックすることが可能であると共に、そのロックを解除してシャッターカーテンを容易に開放することが可能なシャッター用ロック装置及びシャッター装置を提供する。【解決手段】本発明に係るシャッター用ロック装置２０は、ラチェットギヤ２６の側方にラチェットレバー３０と解除保持レバー４０とを備えている。そして、ロック解除操作部の操作により、解除保持レバー４０がラチェットレバー３０をラチェット有効位置からラチェット無効位置へと移動すると共に、ラチェット有効位置に戻ろうとするラチェットレバー３０を先端面で受け止めてラチェット無効位置に保持する構成になっている。【選択図】図１１
2010242292.tif 000002
【特許請求の範囲】
【請求項１】
シャッターカーテンの巻取シャフトと共に回転するラチェットギヤと、
前記ラチェットギヤの回転軸と平行な第１回動軸回りに回動し、前記シャッターカーテンが閉じられる閉方向の前記ラチェットギヤの回転を許容する一方、その逆の開方向の回転を禁止するように前記ラチェットギヤに係止して、前記シャッターカーテンをロックするラチェットレバーと、そのロックを解除操作するためのロック解除操作部とを備えたシャッター用ロック装置において、
前記ラチェットレバーと一体に回動すると共に、前記ラチェットギヤの側面に摺接可能に押し付けられ、前記開方向に回転する前記ラチェットギヤとの摩擦によって、前記ラチェットレバーを前記ラチェットギヤに係止可能なラチェット有効位置に付勢する正の付勢力を発生させると共に、前記閉方向に回転する前記ラチェットレバーとの摩擦によって、前記ラチェットレバーを前記ラチェットギヤに係止不能な前記ラチェット無効位置に付勢する負の付勢力を発生させるための摺接回動部材と、
前記ロック解除操作部の操作により、前記第１回動軸と平行な第２回動軸回りの待機位置からロック解除位置へと回動して、前記ラチェットレバーを前記ラチェット有効位置から前記ラチェット無効位置へと移動すると共に、そのラチェットレバーが受ける前記正の付勢力を、前記第２回転軸の回動半径方向の先端面で受け止めて前記ラチェットレバーと共に前記第１と第２の回動軸の間で突っ張り状態になり、前記ラチェットレバーを前記ラチェット無効位置に保持可能な解除保持レバーと、
前記解除保持レバーを前記待機位置に付勢すると共に、前記突っ張り状態の前記ラチェットレバーが前記負の付勢力を受けて前記解除保持レバーから離間することを許容する待機位置付勢手段とを備えたことを特徴とするシャッター用ロック装置。
【請求項２】
前記巻取シャフトは、中心部を貫通した支持シャフトによって回転可能に支持されると共に、前記巻取シャフトの一端面には凹凸係合部が形成され、
前記ラチェットギヤには、中央に前記支持シャフトが挿通されるシャフト挿通孔が形成されると共に、前記シャフト挿通孔の周りに前記巻取シャフトの前記凹凸係合部と凹凸係合可能なギヤ側凹凸係合部が形成され、
前記支持シャフトの外側に挿通される環状構造をなしかつ前記支持シャフトに固定可能であると共に、前記ラチェットギヤと前記ラチェットレバーと前記解除保持レバーと前記待機位置付勢手段と前記摺接回動部材とを収容した固定ハウジングと、
前記固定ハウジングのうち前記巻取シャフトの一端面に対向した前側端面に形成され、前記ギヤ側凹凸係合部を前記巻取シャフトの一端面に向けて露出させるための前面孔とを備えたことを特徴とする請求項１に記載のシャッター用ロック装置。
【請求項３】
前記ラチェットギヤに連動回転し、その回転速度に応じた回転抵抗を前記ラチェットギヤに付与する回転式ダンパーを前記固定ハウジングに固定して備えたことを特徴とする請求項２に記載のシャッター用ロック装置。
【請求項４】
前記固定ハウジングのうち前記前側端面と反対側の後側端面に設けられて、前記支持シャフトの軸方向に往復動可能な往復動部材と、
前記往復動部材を前記固定ハウジング側の原点位置に付勢する原点付勢手段と、
前記往復動部材の前記原点位置から離れる側に引っ張るためのワイヤーと、
前記往復動部材の前記原点位置から離れる側の動作を、前記解除保持レバーの前記待機位置から前記ロック解除位置への回動に変換する動作変換機構とを備えたことを特徴とする請求項２又は３に記載のシャッター用ロック装置。
【請求項５】
前記シャッターカーテンは、前記巻取シャフトの一端面から側方に張り出され、
前記固定ハウジングを、前記巻取シャフトの径方向でその巻取シャフトの外径より小さくして、前記巻取シャフトに巻回された前記シャッターカーテンの内側に収容可能としたことを特徴とする請求項４に記載のシャッター用ロック装置。
【請求項６】
上記請求項２乃至５の何れか１の請求項に記載のシャッター用ロック装置と、前記シャッターカーテンと、前記巻取シャフトと、前記支持シャフトとを備えたことを特徴とするシャッター装置。
【発明の詳細な説明】
【技術分野】
【０００１】
本発明は、シャッターカーテンを任意の位置まで閉めて開かないようにロックすることが可能であると共に、ロック解除操作によりロックを解除可能なシャッター用ロック装置及びそのシャッター用ロック装置を備えたシャッター装置に関する。
【背景技術】
【０００２】
従来、この種のシャッター用ロック装置は、ロック解除操作部を操作している間は、ロックが解除されて任意の位置からシャッターカーテンを開くことができ、ロック解除操作部の操作を止めると、その操作を止めた任意の位置でシャッターカーテンが開かないようにロックされる構成になっていた（例えば、特許文献１参照）。
【先行技術文献】
【特許文献】
【０００３】
【特許文献１】特開２００８−１３８３５６号公報（段落［００２２］，第４図、第６図）
【発明の概要】
【発明が解決しようとする課題】
【０００４】
しかしながら、上記した従来のシャッター用ロック装置の構成では、シャッターカーテンを開くためには、ロック解除操作部によるロック解除操作と同時に開操作も行い続けなければならないので、シャッターカーテンの開操作の操作性を悪かった。特に、シャッターカーテンを全閉状態から全開状態にする場合には、開操作とロック解除操作とを同時に行う期間が長期に亘るので、上記操作性が悪くなっていた。
【０００５】
本発明は、上記事情に鑑みてなされたもので、任意の位置までシャッターカーテンを閉めて開かないようにロックすることが可能であると共に、そのロックを解除してシャッターカーテンの開操作を行う一連の操作における操作性を向上させることが可能なシャッター用ロック装置及びシャッター装置の提供を目的とする。
【課題を解決するための手段】
【０００６】
上記目的を達成するためになされた請求項１の発明に係るシャッター用ロック装置は、シャッターカーテンの巻取シャフトと共に回転するラチェットギヤと、ラチェットギヤの回転軸と平行な第１回動軸回りに回動し、シャッターカーテンが閉じられる閉方向のラチェットギヤの回転を許容する一方、その逆の開方向の回転を禁止するようにラチェットギヤに係止して、シャッターカーテンをロックするラチェットレバーと、そのロックを解除操作するためのロック解除操作部とを備えたシャッター用ロック装置において、ラチェットレバーと一体に回動すると共に、ラチェットギヤの側面に摺接可能に押し付けられ、開方向に回転するラチェットギヤとの摩擦によって、ラチェットレバーをラチェットギヤに係止可能なラチェット有効位置に付勢する正の付勢力を発生させると共に、閉方向に回転するラチェットレバーとの摩擦によって、ラチェットレバーをラチェットギヤに係止不能なラチェット無効位置に付勢する負の付勢力を発生させるための摺接回動部材と、ロック解除操作部の操作により、第１回動軸と平行な第２回動軸回りの待機位置からロック解除位置へと回動して、ラチェットレバーをラチェット有効位置からラチェット無効位置へと移動すると共に、そのラチェットレバーが受ける正の付勢力を、第２回転軸の回動半径方向の先端面で受け止めてラチェットレバーと共に第１と第２の回動軸の間で突っ張り状態になり、ラチェットレバーをラチェット無効位置に保持可能な解除保持レバーと、解除保持レバーを待機位置に付勢すると共に、突っ張り状態のラチェットレバーが負の付勢力を受けて解除保持レバーから離間することを許容する待機位置付勢手段とを備えたところに特徴を有する。
【０００７】
請求項２の発明は、請求項１に記載のシャッター用ロック装置において、巻取シャフトは、中心部を貫通した支持シャフトによって回転可能に支持されると共に、巻取シャフトの一端面には凹凸係合部が形成され、ラチェットギヤには、中央に支持シャフトが挿通されるシャフト挿通孔が形成されると共に、シャフト挿通孔の周りに巻取シャフトの凹凸係合部と凹凸係合可能なギヤ側凹凸係合部が形成され、支持シャフトの外側に挿通される環状構造をなしかつ支持シャフトに固定可能であると共に、ラチェットギヤとラチェットレバーと解除保持レバーと待機位置付勢手段と摺接回動部材とを収容した固定ハウジングと、固定ハウジングのうち巻取シャフトの一端面に対向した前側端面に形成され、ギヤ側凹凸係合部を巻取シャフトの一端面に向けて露出させるための前面孔とを備えたところに特徴を有する。
【０００８】
請求項３の発明は、請求項２に記載のシャッター用ロック装置において、ラチェットギヤに連動回転し、その回転速度に応じた回転抵抗をラチェットギヤに付与する回転式ダンパーを固定ハウジングに固定して備えたところに特徴を有する。
【０００９】
請求項４の発明は、請求項２又は３に記載のシャッター用ロック装置において、固定ハウジングのうち前側端面と反対側の後側端面に設けられて、支持シャフトの軸方向に往復動可能な往復動部材と、往復動部材を固定ハウジング側の原点位置に付勢する原点付勢手段と、往復動部材の原点位置から離れる側に引っ張るためのワイヤーと、往復動部材の原点位置から離れる側の動作を、解除保持レバーの待機位置からロック解除位置への回動に変換する動作変換機構とを備えたところに特徴を有する。
【００１０】
請求項５の発明は、請求項４に記載のシャッター用ロック装置において、シャッターカーテンは、巻取シャフトの一端面から側方に張り出され、固定ハウジングを、巻取シャフトの径方向でその巻取シャフトの外径より小さくして、巻取シャフトに巻回されたシャッターカーテンの内側に収容可能としたところに特徴を有する。
【００１１】
請求項６の発明に係るシャッター装置は、上記請求項２乃至５の何れか１の請求項に記載のシャッター用ロック装置と、シャッターカーテンと、巻取シャフトと、支持シャフトとを備えたところに特徴を有する。
【発明の効果】
【００１２】
［請求項１の発明］
請求項１のシャッター用ロック装置では、シャッターカーテンが閉操作されてラチェットギヤが閉方向のトルクを受けると、そのラチェットギヤと摺接回動部材との摺接の摩擦によって、摺接回動部材と一体回動可能なラチェットレバーがラチェットギヤに係止不能なラチェット無効位置に付勢される。これにより、シャッターカーテンを閉操作している間は、ラチェットレバーがラチェットギヤに係止することなくなり、任意の位置までシャッターカーテンを閉めることができる。また、シャッターカーテンを閉操作している間は、ラチェットレバーとラチェットギヤとが接触しないので、静粛性に優れたものとすることができる。
【００１３】
一方、シャッターカーテンの閉操作を止め、巻取シャフトがシャッターカーテンを巻き取る方向に付勢又は操作されてラチェットギヤが開方向のトルクを受けると、そのラチェットギヤと摺接回動部材との摺接の摩擦によって、ラチェットレバーがラチェットギヤに係止可能なラチェット有効位置に付勢される。これにより、シャッターカーテンを閉操作している間は、ラチェットレバーがラチェットギヤに係止することがなくなり、任意の位置までシャッターカーテンを閉めることができ、その閉操作を止めると、ラチェットレバーがラチェットギヤに係止し、任意の位置でシャッターカーテンを開かないようにロックすることができる。
【００１４】
そのロックを解除してシャッターカーテンを開く場合には、ロック解除操作部の操作すればよい。すると、ロック解除操作部を一度操作するとその過程で、解除保持レバーが、待機位置からロック解除位置へと回動して、ラチェットレバーをラチェット有効位置からラチェット無効位置へと移動させる。
【００１５】
ここで、ラチェットレバーは、解除保持レバーによってラチェット無効位置まで移動されたときには、その解除保持レバーとの干渉領域から外れた最端のラチェット無効位置まで移動する。そして、シャッターカーテンが開操作されると、それに伴って開方向に開方向に回動するラチェットギヤと摺接回動部材との摩擦により、ラチェットレバーが、最短のラチェット無効位置からラチェット有効位置寄り中間のラチェット無効位置へと移動する。すると、そのラチェットレバーが、解除保持レバーの回動半径方向の先端面に当接し、第１と第２の回動軸の間でラチェットレバーと解除保持レバーとが突っ張り状態になる。これにより、ラチェットレバーがラチェット無効位置に保持され、ロック解除操作部の操作を止めてもロック解除状態が維持される。
【００１６】
このように本発明によれば、ロック解除操作部を一度操作するだけでロック解除状態が維持されるので、ロック解除操作部によるロック解除操作を行い続ける必要がなくなる。また、巻取シャフトがシャッターカーテンを巻き取る方向に付勢されている場合には、ロック解除操作を一度行いさえすれば、巻取シャフトに付与された付勢力のみで、シャッターカーテンを開くことができる。また、ロック解除状態を解消するには、シャッターカーテンを閉操作すればよい。すると、そのシャッターカーテンの閉操作に伴って閉方向に回動するラチェットギヤと摺接回動部材との摩擦により、ラチェットレバーが中間のラチェット無効位置から最端のラチェット有効位置へと移動し、解除保持レバーから離間する。そして、待機位置付勢手段の付勢により解除保持レバーが待機位置に戻る。
【００１７】
従って、本発明のシャッター用ロック装置によれば、任意の位置までシャッターカーテンを閉めて開かないようにロックすることが可能であると共に、そのロックを解除してシャッターカーテンの開操作を行う一連の操作における操作性を向上させることができる。
【００１８】
［請求項２の発明］
請求項２のシャッター用ロック装置は、ラチェットギヤ、ラチェットレバー等を環状構造の固定ハウジング内に収容して備えたユニット構造になっているので、シャッターカーテンの巻取シャフトとそれを支持する支持シャフトとの間に容易に連結することができる。即ち、固定ハウジングを支持シャフトの外側に挿通していき、巻取シャフトの一端面の凹凸係合部と、固定ハウジングの前面孔を介して露出したラチェットギヤのギヤ側凹凸係合部とが凹凸係合した位置で、固定ハウジングと支持シャフトとを固定すれば、シャッター用ロック装置が巻取シャフトと支持シャフトとの間に連結される。
【００１９】
［請求項３の発明］
請求項３のシャッター用ロック装置では、回転式ダンパーがシャッターカーテンの移動速度を抑えるので、シャッターカーテンが全開位置又は全閉位置に急停止して過大な騒音を発生させる事態を防ぐことができる。
【００２０】
［請求項４の発明］
請求項４のシャッター用ロック装置によれば、ワイヤーを一度引いて手を離せば、ロック解除状態が維持される。
【００２１】
［請求項５の発明］
請求項５のシャッター用ロック装置は、巻回されたシャッターカーテンの内側のスペースに収容されるので、そのスペースを有効利用することができる。これにより、シャッター用ロック装置を備えたシャッター装置を横方向にコンパクトな構成にすることができる。
【００２２】
［請求項６の発明］
請求項６のシャッター装置によれば、上記請求項２乃至５の何れか１の請求項に記載のシャッター用ロック装置を備えているので、任意の位置までシャッターカーテンを閉めた状態でロックすることが可能であると共に、そのロックを解除してシャッターカーテンを開放する操作を容易に行うことができる。
【図面の簡単な説明】
【００２３】
【図１】本発明の一実施形態に係るシャッター装置の斜視図
【図２】シャッター装置の斜視図
【図３】シャッター装置の分解斜視図
【図４】シャッター用ロック装置の後側斜視図
【図５】シャッター用ロック装置の前側斜視図
【図６】シャッター用ロック装置の蓋体を外した状態の斜視図
【図７】シャッター用ロック装置のラチェットギヤを外した状態の斜視図
【図８】シャッター用ロック装置の主要部品の斜視図
【図９】シャッター用ロック装置の側面図
【図１０】シャッターカーテンを閉操作している状態のシャッター用ロック装置の側断面図
【図１１】シャッターカーテンを開操作している状態のシャッター用ロック装置の側断面図
【図１２】ロック解除操作した直後のシャッター用ロック装置の側断面図
【図１３】ロック解除状態を維持しているシャッター用ロック装置の側断面図
【発明を実施するための形態】
【００２４】
以下、本発明の一実施形態を図１〜図３に基づいて説明する。図１に示した本実施形態に係るシャッター装置１０は、例えば、住宅の窓（図示せず）の上縁部に取り付けられるものであって、シャッターカーテン１５を巻き取るための巻取シャフト１２を支持シャフト１１にて回転可能に支持した構造になっている。
【００２５】
図３に示すように、巻取シャフト１２は、円筒ドラム１２Ｄの両端部（図３には、円筒ドラム１２Ｄの一端部のみが示されている）の内側に円盤１３を嵌合してなる。円盤１３の周面の所定箇所には螺子孔１３Ａが形成され、その螺子孔１３Ａに対応させて円筒ドラム１２Ｄには螺子挿通孔１２Ａが貫通形成されている。そして、螺子挿通孔１２Ａに挿通した螺子Ｎ１（図１参照）を円盤１３の螺子孔１３Ａに締め付けて、円筒ドラム１２Ｄと円盤１３とが一体回転可能に固定されている。
【００２６】
図３に示すように、円盤１３の軸中心にはセンター孔１３Ｃが貫通形成され、円盤１３の端面のうちセンター孔１３Ｃの周りを均等分した複数位置（例えば、８箇所）には、複数の螺子孔１３Ｂが形成されている。また、巻取シャフト１２の一端側の円盤１３には、結合リング１４が固定されている。その結合リング１４は、円板状のリング本体１４Ｈの内周縁から複数の連結突片１４Ａ（本発明の「巻取シャフトの凹凸係合部」に相当する）を直角曲して張り出した構造になっている。なお、各連結突片１４Ａは、結合リング１４の中心軸と同心の円弧状に湾曲している。また、リング本体１４Ｈには、周方向で均等分した複数位置（例えば、４箇所）に複数の取付孔１４Ｂが形成されている。そして、リング本体１４Ｈを円盤１３の端面に重ねかつ連結突片１４Ａを円盤１３と反対側に突出させた状態にして、取付孔１４Ｂを通した螺子を円盤１３の螺子孔１３Ｂに締め付けて結合リング１４が円盤１３に一体回転可能に固定されている。
【００２７】
支持シャフト１１は、円筒パイプ構造をなし、巻取シャフト１２の両端のセンター孔１３Ｃ（詳細には、円盤１３のセンター孔１３Ｃ）を貫通して巻取シャフト１２の両端面より両横方向に延びている。そして、支持シャフト１１の両端部が図示しない取付ベースに回転不能にそれぞれ固定され、それら取付ベースが住居の壁面に固定されている。また、支持シャフト１１の外周面と巻取シャフト１２におけるセンター孔１３Ｃの内周面との間には、軸受１１Ｂ（例えば、ベアリング、摺動メタル）が嵌合されている。
【００２８】
また、巻取シャフト１２の内部には、図示しないトーションコイルバネが支持シャフト１１に巻回して設けられており、このトーションコイルバネは一端が円盤１３の螺子孔１３Ｂに図示しないネジを介して固定され、他端が支持シャフト１１にネジ等で固定されている。これにより、巻取シャフト１２は、シャッターカーテン１５を巻き取る方向に付勢されている。
【００２９】
図１に示すように、シャッターカーテン１５は、複数の帯状金属板を連結してなる公知なキャタピラ構造になっている。また、シャッターカーテン１５の横幅は、巻取シャフト１２の軸長より大きくなっている。そして、シャッターカーテン１５の巻回長方向の一端部を巻取シャフト１２の外周面に宛がい、巻取シャフト１２の両端面からシャッターカーテン１５が両横方向に張り出した状態にして、シャッターカーテン１５が巻取シャフト１２に螺子止めされている。具体的には、前記した円盤１３の周面の螺子孔１３Ａに締め付けられる螺子Ｎを、シャッターカーテン１５の一端部に備えた螺子挿通孔（図示せず）にも挿通して、円筒ドラム１２Ｄとシャッターカーテン１５とが円盤１３の螺子孔１３Ａに共締めされている。
【００３０】
また、シャッター装置１０が取り付けられる住宅の窓の両側縁部には、図示しないシャッターレールがそれぞれ備えられている。そして、シャッターカーテン１５のうち巻取シャフト１２から下方に延びた部分の両側部が、それらシャッターレールに係合した状態に維持され、シャッターカーテン１５の下端部を下方に手動で引くことにより、巻取シャフト１２の回転を伴いながらシャッターカーテン１５が巻取シャフト１２から引き出される。
【００３１】
さて、シャッター装置１０には、シャッターカーテン１５を窓の上下方向における任意の位置まで閉めて、そこから上方に開かないようにロックするためのシャッター用ロック装置２０が備えられている。
【００３２】
図３に示すように、シャッター用ロック装置２０は、偏平円盤状の固定ハウジング２１を備えている。図２に示すように、固定ハウジング２１の軸中心には、シャフト挿通孔２１Ａが貫通形成され、その内側に支持シャフト１１が遊嵌状態に挿通されている。
【００３３】
また、図３に示すように、固定ハウジング２１は、支持シャフト１１と直交した方向を向いた前側端面２１Ｆと後側端面２１Ｒとを有し、前側端面２１Ｆが巻取シャフト１２の一端面に対向配置されている。さらに、シャッター用ロック装置２０全体の外径でもある固定ハウジング２１の外径は、巻取シャフト１２の外径より若干小さくなっている。そして、シャッターカーテン１５が巻取シャフト１２に巻き取られて円筒状になった場合には、その円筒状のシャッターカーテン１５の内側に配置される。
【００３４】
図４に示すように、固定ハウジング２１の後側端面２１Ｒには、シャフト挿通孔２１Ａの開口縁部における対向位置から１対のハウジング固定片２２，２２が突出している。そして、それら両方のハウジング固定片２２，２２を同軸線上で貫通したボルト挿通孔２２Ａと、支持シャフト１１を径方向で貫通した取付孔（図示せず）とに、図２に示したボルトＮ３が挿通されて固定ハウジング２１が支持シャフト１１に固定されている。なお、ハウジング固定片２２のボルト挿通孔２２Ａの内面には、螺子が切られており、ボルトＮ３は、そのボルト挿通孔２２Ａの内面の螺子に螺合されている。
【００３５】
図５に示すように、固定ハウジング２１のうち前側端面２１Ｆを構成する壁部は、蓋体２３になっている。その蓋体２３は、固定ハウジング２１の本体に螺子Ｎ４にて固定され、中心部にシャフト挿通孔２１Ａより径が大きな前面孔２３Ａを有している。そして、その前面孔２３Ａを介して次述するラチェットギヤ２６に備えた複数の突片連結孔２６Ｂ（本発明の「ギヤ側凹凸係合部」に相当する）が巻取シャフト１２の一端面に臨んでいる。
【００３６】
図６には、固定ハウジング２１の本体から蓋体２３を外した状態が示されている。同図に示すように、固定ハウジング２１の内部にはラチェットギヤ２６がシャフト挿通孔２１Ａと同軸上に配置されている。ラチェットギヤ２６は円板状をなし、中心にシャフト挿通孔２６Ａを有している。また、ラチェットギヤ２６のうちシャフト挿通孔２６Ａの周りには、円弧状の複数の突片連結孔２６Ｂが均等配置されている。そして、巻取シャフト１２の一端部に備えた結合リング１４における複数の連結突片１４Ａが、蓋体２３の前面孔２３Ａを介して、ラチェットギヤ２６の複数の突片連結孔２６Ｂに差し込まれ、これによりラチェットギヤ２６が巻取シャフト１２と一体回転可能に連結されている。以下、シャッターカーテン１５を閉じるときに巻取シャフト１２と共にラチェットギヤ２６が回転する方向を「閉方向」といい、シャッターカーテン１５を開くときに巻取シャフト１２と共にラチェットギヤ２６が回転する方向を「開方向」という。
【００３７】
ラチェットギヤ２６の外周面には、複数の係止歯２６Ｔが突出している。これら各係止歯２６Ｔは、ラチェットギヤ２６を開方向へ回動したときに回動方向の前側に向かって突出するように傾斜している。より詳細には、図６及び図１０に示すように、係止歯２６Ｔのうちラチェットギヤ２６を開方向へ回動したときに前側を向く歯面は、後述するラチェットレバー３０の回動軸である第１回動支持シャフト３１を中心とした円弧形状の係止面２６Ｋになっている。一方、係止歯２６Ｔのうちラチェットギヤ２６を開方向へ回動したときに後側を向く歯面、換言すれば、ラチェットギヤ２６を閉方向へ回動したときに前側を向く歯面は、係止歯２６Ｔの先端に向かうに従って、隣の係止歯２６Ｔから離れるように傾斜した摺接面２６Ｓになっている。なお、ラチェットギヤ２６のうち係止歯２６Ｔを含む外縁部は、蓋体２３によって覆われている（図５参照）。
【００３８】
ラチェットギヤ２６のシャフト挿通孔２６Ａにおける縁部には、複数の係止凹部２６Ｃが形成されている。そして、それら係止凹部２６Ｃに、図８に示した連結スリーブ２４の先端に備えた複数の円弧突壁２４Ａが係合している。その連結スリーブ２４は、固定ハウジング２１内に配置される長さをなし、その軸方向の中間部には、リング状の連動ギヤ２５（外周面の歯は図面から省略されている）が一体形成されている。
【００３９】
図７に示すように、連結スリーブ２４の内側には、センターパイプ２４Ｐが備えられ、そのセンターパイプ２４Ｐは固定ハウジング２１の後端壁に一体形成されている。そして、センターパイプ２４Ｐの内側が前記したシャフト挿通孔２１Ａになっていて、そこに支持シャフト１１（図２参照）が挿通されている。
【００４０】
図２に示すように、固定ハウジング２１の後側端面２１Ｒには、回転式ダンパー２９が取り付けられている。そして、固定ハウジング２１に形成された貫通孔２１Ｂ（図７参照）を通して回転式ダンパー２９の図示しない回転軸に固定されたギヤが連動ギヤ２５に噛合している。そして、この回転式ダンパー２９が、ラチェットギヤ２６の回転速度の増加に伴って増加する回転抵抗をラチェットギヤ２６に付与して、シャッターカーテン１５の急激な上昇を規制している。
【００４１】
図６に示すように、固定ハウジング２１の側壁２１Ｓとラチェットギヤ２６との間には、第１回動支持シャフト３１と第２回動支持シャフト４１とが設けられている。これら第１回動支持シャフト３１及び第２回動支持シャフト４１は、共に、ラチェットギヤ２６の回転軸と平行に延び、例えば、図１０に示すように、ラチェットギヤ２６の回転中心周りに４５度程度、離れた位置に配置されて、両端部を、固定ハウジング２１の前後の壁部である前側端面２１Ｆ及び後側端面２１Ｒにより挟持されている。
【００４２】
本実施形態では、第１回動支持シャフト３１の中心軸が、本発明に係る「第１回動軸」に相当し、第２回動支持シャフト４１の中心軸が、本発明に係る「第２回動軸」に相当する。そして、本発明に係るラチェットレバー３０が、第１回動支持シャフト３１を中心に回動可能に設けられる一方、本発明に係る解除保持レバー４０が、第２回動支持シャフト４１を中心に回動可能に設けられている。
【００４３】
図８に示すように、ラチェットレバー３０は、第１回動支持シャフト３１から第２回動支持シャフト４１寄り位置）まで延びている。また、ラチェットレバー３０の基端部には、第２回動支持シャフト４１から離れる側に突出した基端突部３５が備えられている。
【００４４】
図６に示すように、ラチェットレバー３０のうち第２回動支持シャフト４１側の先端寄り位置からは、ラチェットギヤ２６に向かって係止爪３２が突出している。係止爪３２は、隣り合った係止歯２６Ｔ，２６Ｔの間の凹部形状に対応した略三角形になっていて、ラチェットレバー３０の回動半径に対して傾斜した斜面３２Ｓを第１回動支持シャフト３１側に備える一方、第１回動支持シャフト３１を中心とした円弧形状の係止面３２Ｋを第１回動支持シャフト３１から離れた側に備えている。そして、係止爪３２が係止歯２６Ｔに押し付けられるように付勢された状態で、ラチェットギヤ２６が開方向の回転トルクを受けたときに、図１１に示すように、係止爪３２の係止面３２Ｋが何れかの係止歯２６Ｔの係止面２６Ｋに当接してラチェットレバー３０がラチェットギヤ２６に係止し、ラチェットギヤ２６の回転を禁止する。これにより、シャッターカーテン１５が開かないようにロックされる。また、図１０に示すように、係止爪３２が係止歯２６Ｔから離れた状態になると、ラチェットレバー３０はラチェットギヤ２６に係止できなくなり、ラチェットギヤ２６の回転が許容される。
【００４５】
ラチェットレバー３０を、ラチェットギヤ２６に係止可能なラチェット有効位置に向けて付勢するために、ラチェットレバー３０には、本発明に係る摺接回動部材３４が一体回転可能に固定されている。摺接回動部材３４は、バネ板材で構成され、図８に示すように、ラチェットレバー３０からラチェットギヤ２６側に張り出したメイン摺接片３４Ａとサブ摺接片３４Ｂとを備えている。メイン摺接片３４Ａは、バネ板材をＶ字形状に切断した形状をなして、その「Ｖ」字形状の両端部がラチェットレバー３０の縁部のうち第１回動支持シャフト３１とラチェットギヤ２６の回転中心を結ぶ架空の線を挟んだ左右両側の２位置に配置されている。そして、メイン摺接片３４ＡのＶ字形状の角部がラチェットギヤ２６の回転中心の側を向いてラチェットレバー３０から張り出している。一方、サブ摺接片３４Ｂは、ラチェットレバー３０の外縁部とメイン摺接片３４ＡのＶ字形状の両辺とに囲まれた三角形になっている。そして、図６に示すように、メイン摺接片３４Ａとサブ摺接片３４Ｂとが、ラチェットギヤ２６の外縁部を板厚方向で狭持して、ラチェットギヤ２６の側面に押し付けられている。また、メイン摺接片３４ＡのＶ字形状の角部には、ラチェットギヤ２６の側面に向かって突出するように屈曲した摺接突部３４Ｔが備えられている。なお、サブ摺接片３４Ｂにもメイン摺接片３４Ａと同様の摺接突部（図示せず）が備えられている。
【００４６】
そして、摺接回動部材３４のメイン摺接片３４Ａ（詳細には、摺接突部３４Ｔ）とサブ摺接片３４Ｂの摺接突部とが、ラチェットギヤ２６が開方向に回転したときにラチェットギヤ２６の側面に摺接し、そのときの摩擦によってラチェットレバー３０がラチェット有効位置に付勢されるようになっている。このとき、ラチェットレバー３０が受ける付勢力が、本発明に係る「正の付勢力」に相当する。また、ラチェットギヤ２６が閉方向に回転したときには、摺接回動部材３４とラチェットギヤ２６の側面との摩擦によって、ラチェットレバー３０はラチェットギヤ２６に係止不能なラチェット無効位置に付勢される。このとき、ラチェットレバー３０が受ける付勢力が、本発明に係る「負の付勢力」に相当する。
【００４７】
図６に示すように、ラチェットレバー３０のうち係止爪３２より第２回動支持シャフト４１側に突出した先端位置には、固定ハウジング２１の後側端面２１Ｒ側に向けて向けて略円柱状の回動干渉部３３が突出している。
【００４８】
解除保持レバー４０は、ラチェットギヤ２６より後側端面２１Ｒ側に配置され、第２回動支持シャフト４１から第１回動支持シャフト３１側に張り出した作用回動片４２とその第１回動支持シャフト３１と反対側に張り出した連結回動片４３とを備えたシーソー構造になっている。また、解除保持レバー４０と固定ハウジング２１との間には、トーションコイルバネ４６（本発明の「待機位置付勢手段」に相当する）が設けられ、そのトーションコイルバネ４６の弾発力によって、解除保持レバー４０がその可動範囲のうち、作用回動片４２の先端部がラチェットギヤ２６の回動中心に最も接近した待機位置に付勢されている。
【００４９】
作用回動片４２の先端部の可動領域の一部と、回動干渉部３３の可動領域の一部とは重複している。ここで、作用回動片４２の先端部の可動領域と、回動干渉部３３の可動領域との重複部分を「干渉領域」と呼ぶと、解除保持レバー４０が待機位置に位置した状態で、作用回動片４２の先端部は、干渉領域よりラチェットギヤ２６の回転中心側に外れた位置に配置される。そして、解除保持レバー４０が回動可能範囲のうち待機位置と反対側のロック解除位置まで回動する間に、作用回動片４２の先端部における回動方向の前側を向いた跳上当接面４５（図８参照）が、回動干渉部３３をラチェットギヤ２６から離れる方向に押圧して、その回動干渉部３３が干渉領域の外に配置された最端のラチェット無効位置までラチェットレバー３０を回動させる（図１２参照）。
【００５０】
作用回動片４２の先端には、作用回動片４２の回動半径方向を向き、中央が若干窪んだ先端突当面４４が備えられている。その先端突当面４４は、解除保持レバー４０がロック解除位置に位置した状態で干渉領域内に配置される。そして、ラチェットレバー３０が、開方向に回動するラチェットギヤ２６から摺接回動部材３４を介して正の付勢力を受けることで、最端のラチェット無効位置からラチェット有効位置寄りの中間のラチェット無効位置へと移動したときに、図１３に示すように、先端突当面４４が摺接回動部材３４に当接し、第１と第２の回動支持シャフト３１，４１の間で、ラチェットレバー３０と解除保持レバー４０とが突っ張り状態に保持される。これにより、ラチェットレバー３０がラチェット無効位置に保持され、ロック解除状態が維持される。
【００５１】
図２に示すように、固定ハウジング２１の後側端面２１Ｒには、連結回動片４３の可動領域と対向する部分に操作孔２１Ｗが形成されている。この操作孔２１Ｗは、支持シャフト１１に接離する方向に長い長方形になっている。また、固定ハウジング２１の後側端面２１Ｒのうち操作孔２１Ｗの一長辺に沿った開口側縁からは、支持突片５０が後方に突出し、その支持突片５０に中継レバー５１が傾動可能に支持されている。
【００５２】
中継レバー５１は、板金をクランク状に屈曲してなり、その屈曲部分より一端側の第１回動片５１Ａが支持突片５０に重ねられた状態でビス５１Ｊにて回動可能に取り付けられている。そして、第１回動片５１Ａの先端が操作孔２１Ｗの長手方向に往復動する。また、中継レバー５１のうち屈曲部分より他端側の第２回動片５１Ｂは、支持シャフト１１を避けるように固定ハウジング２１の後側端面２１Ｒにおける外縁側に配置され、その第２回動片５１Ｂの先端部には、ワイヤー５３が連結されている。そのワイヤー５３の先端は、シャッター装置１０が取り付けられた窓の室内に設けた図示しないロック解除操作部に連結されている。また、第２回動片５１Ｂのうち屈曲部分寄りの基端部には、フック５１Ｙが形成されている。これに対応させて、固定ハウジング２１の後側端面２１Ｒにもフック５１Ｘが形成され、これらフック５１Ｘ，５１Ｙの間に引張コイルバネ５２（本発明の「原点付勢手段」に相当する）が架け渡されている。これにより、中継レバー５１は、第２回動片５１Ｂが固定ハウジング２１の後側端面２１Ｒに接近する方向に付勢され、第１回動片５１Ａの先端部が、操作孔２１Ｗのうち支持シャフト１１から離れた側の端部に位置した原点位置に中継レバー５１が配置されている。そして、ロック解除操作部の操作により、第２回動片５１Ｂを後側端面２１Ｒから離す側にワイヤー５３が引っ張られると、第２回動片５１Ｂの先端部が支持シャフト１１側の端部に移動して、その過程で第１回動片５１Ａの先端部が解除保持レバー４０の連結回動片４３を押圧する。これにより、解除保持レバー４０が待機位置からロック解除位置へと回動する。
【００５３】
本実施形態のシャッター装置１０及びシャッター用ロック装置２０の構成に関する説明は以上である。次に、これらシャッター装置１０及びシャッター用ロック装置２０の作用効果について説明する。本実施形態のシャッター装置１０及びシャッター用ロック装置２０では、シャッターカーテン１５が閉操作されてラチェットギヤ２６が閉方向のトルクを受けると、そのラチェットギヤ２６と摺接回動部材３４との摺接の摩擦によって、摺接回動部材３４と一体回動可能なラチェットレバー３０が、ラチェットギヤ２６に係止不能なラチェット無効位置に付勢される。これにより、図１０に示すように、シャッターカーテン１５を閉操作している間は、ラチェットレバー３０がラチェットギヤ２６から離間して係止することなくなり、任意の位置までシャッターカーテン１５を閉めることができる。更に、シャッターカーテン１５を閉操作している間は、ラチェットレバー３０とラチェットギヤ２６とが接触しないので、静粛性に優れたものとすることができる。
【００５４】
一方、シャッターカーテン１５の開操作を止めることに伴い、シャッターカーテン１５を巻き取る方向に付勢された巻取シャフト１２によりラチェットギヤ２６が開方向のトルクを受けると、そのラチェットギヤ２６と摺接回動部材３４との摺接の摩擦によって、ラチェットレバー３０がラチェットギヤ２６に係止可能なラチェット有効位置に付勢される。これにより、シャッターカーテン１５を閉操作している間は、図１０に示すように、ラチェットレバー３０がラチェットギヤ２６に係止することがなくなり、任意の位置までシャッターカーテン１５を閉めることができ、その閉操作を止めると、図１１に示すように、ラチェットレバー３０がラチェットギヤ２６に係止し、任意の位置でシャッターカーテン１５を開かないようにロックすることができる。
【００５５】
そのロックを解除してシャッターカーテン１５を開く場合には、室内にある図示しないロック解除操作部を引く。このとき、ロック解除操作部を一度操作するとその過程で、解除保持レバー４０が、待機位置（図１１参照）からロック解除位置（図１２参照）へと回動して、ラチェットレバー３０をラチェット有効位置からラチェット無効位置へと移動させる。これにより、シャッターカーテン１５を開くことができるようになる。
【００５６】
ここで、ラチェットレバー３０は、解除保持レバー４０によってラチェット無効位置まで移動されたときには、その解除保持レバー４０との干渉領域から外れた最端のラチェット無効位置まで移動する。そして、シャッターカーテン１５が開操作されると、それに伴って開方向に開方向に回動するラチェットギヤ２６と摺接回動部材３４との摩擦により、ラチェットレバー３０が、最端のラチェット無効位置からラチェット有効位置寄り中間のラチェット無効位置へと移動する。すると、そのラチェットレバー３０が、図１３に示すように、回動干渉部３３が先端突当面４４に当接し、第１と第２の回動支持シャフト３１，４１の間で、ラチェットレバー３０と解除保持レバー４０とが突っ張り状態に保持される。これにより、ラチェットレバー３０がラチェット無効位置に保持され、ロック解除状態が維持されるので、シャッターカーテン１５を自動的に巻き取ることができる。つまり、シャッターカーテン１５を自動的に開放することができる。
【００５７】
即ち、ロック解除操作部を一度操作するだけでロック解除状態が維持されるので、ロック解除操作部によるロック解除操作を行い続ける必要がなくなる。つまり、ロック解除操作を一度行いさえすれば、巻取シャフト１２に付与された付勢力のみでシャッターカーテン１５を開くことができる。また、ロック解除状態を解消するには、シャッターカーテン１５を閉操作すれだけでよい。すると、そのシャッターカーテン１５の閉操作に伴って閉方向に回動するラチェットギヤ２６と摺接回動部材３４との摩擦により、図１２に示すように、ラチェットレバー３０が中間のラチェット無効位置から最端のラチェット有効位置へと移動し、解除保持レバー４０から離間する。そして、トーションコイルバネ４６の付勢により解除保持レバー４０が待機位置に戻る。
【００５８】
このように、本実施形態のシャッター装置１０及びシャッター用ロック装置２０によれば、任意の位置までシャッターカーテン１５を閉めて開かないようにロックすることが可能であると共に、そのロックを解除してシャッターカーテン１５の開操作を行う一連の操作における操作性を向上させることができる。また、ロック解除状態を維持可能でありながら、シャッターカーテン１５を閉じる操作に伴ってロック解除状態が解消されるので、シャッターカーテン１５を閉操作してからロックを掛け忘れるような事態を防ぐことができる。更には、回転式ダンパー２９がシャッターカーテン１５の移動速度を抑えるので、シャッターカーテン１５が全開位置に急停止して過大な騒音を発生させる事態を防ぐことができる。その上、全開位置に向けての中間での操作音も小さく抑えることができる。
【００５９】
しかも、本実施形態のシャッター用ロック装置２０は、ラチェットギヤ２６、ラチェットレバー３０等を環状構造の固定ハウジング２１内に収容して備えたユニット構造になっているので、シャッターカーテン１５の巻取シャフト１２と支持シャフト１１との間に容易に連結することができる。即ち、固定ハウジング２１を支持シャフトの外側に挿通していき、巻取シャフト１２の一端面の凹凸係合部と、固定ハウジング２１の前面孔を介して露出したラチェットギヤ２６のギヤ側凹凸係合部とが凹凸係合した位置で、固定ハウジング２１と支持シャフトとを固定すれば、シャッター用ロック装置２０が巻取シャフト１２と支持シャフトとの間に連結される。
【００６０】
その上、シャッター用ロック装置２０は、巻回されたシャッターカーテン１５の内側のスペースに収容されるので、そのスペースを有効利用することができる。これにより、シャッター装置１０を横方向にコンパクトな構成にすることができる。
【００６１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６２】
（１）前記実施形態のシャッター用ロック装置２０では、摺接回動部材３４がラチェットギヤ２６を板厚方向で狭持する構成であったが、ラチェットギヤの一側面のみ摺接回動部材を押し付けた構成にしてもよい。
【００６３】
（２）前記実施形態のシャッター用ロック装置２０は、巻取シャフト１２に巻回されたシャッターカーテン１５内のスペースに収まる構造になっていたが、シャッター用ロック装置の外径を巻取シャフトより大きくしてシャッターカーテンの側方に配置してもよい。
【００６４】
（３）前記実施形態のシャッター用ロック装置２０に備えた回転式ダンパー２９は、シャッターカーテン１５の上昇速度を抑える構成であったが、上昇と下降の両方の速度を抑えて、全開位置と全閉位置の両位置で急停止による過大な騒音を発生させる事態を防ぐ構成にしてもよい。
【００６５】
（４）前記実施形態のシャッター装置１０は、図示しないトーションコイルバネによって巻取シャフト１２がシャッターカーテン１５を巻き取る方向に付勢され、ロック解除状態で、シャッターカーテン１５が自動的に巻き取られる構成であったが、手動でシャッターカーテン１５を押し上げて巻取シャフト１２に巻き取らせる構成としてもよい。
【００６６】
（５）また、トーションコイルバネの付勢力は、巻取シャフト１２によるシャッターカーテン１５の自動巻取りはできないが、シャッターカーテン１５の操作を止めた後、ラチェットレバー３０がラチェット無効位置に回動する程度の大きさであってもよい。
【符号の説明】
【００６７】
１０    シャッター装置
１１    支持シャフト
１２    巻取シャフト
１４Ａ    連結突片（凹凸係合部）
１５    シャッターカーテン
２０    シャッター用ロック装置
２１    固定ハウジング
２６    ラチェットギヤ
２６Ｂ  突片連結孔
２９    回転式ダンパー
３０    ラチェットレバー
３１    第１回動支持シャフト
３４    摺接回動部材
４０    解除保持レバー
４６    トーションコイルバネ（待機位置付勢手段）
５２    引張コイルバネ（原点付勢手段）
【図１】
2010242292.tif 000003
【図２】
2010242292.tif 000004
【図３】
2010242292.tif 000005
【図４】
2010242292.tif 000006
【図５】
2010242292.tif 000007
【図６】
2010242292.tif 000008
【図７】
2010242292.tif 000009
【図８】
2010242292.tif 000010
【図９】
2010242292.tif 000011
【図１０】
2010242292.tif 000012
【図１１】
2010242292.tif 000013
【図１２】
2010242292.tif 000014
【図１３】
2010242292.tif 000015